(57)【特許請求の範囲】
【請求項１】
サッシ枠内にスライドして開閉自在で引き違いに嵌合された少なくとも２枚の障子と、前記サッシ枠との隙間を塞ぐシール材であって、
前記サッシ枠の上枠に沿って取付けられる取付基部と、
前記取付基部から吊設され、前記２枚の障子の上框に形成された凹溝に案内される室外側支柱部及び室内側支柱部と、
前記室外側支柱部及び室内側支柱部の下方から室外側及び室内側に延設され、前記凹溝の室外側内壁及び室内側内壁に弾接する室外側リップ部及び室内側リップ部と、を備えるとともに、
前記障子の上面に弾接して下方に押圧する上側シール部をさらに備え、その上側シール部を室外側支柱部と前記室内側支柱部間に架設し、前記取付基部との間に中空部を形成し、 前記上側シール部は、上下に波打つ湾曲形状であり、下方に突出した部位が前記障子の上面に弾接することを特徴とする住宅用サッシのシール材。
【発明の詳細な説明】
【技術分野】
【０００１】
本発明は、住宅用サッシのシール材に関する。より詳細には、住宅用サッシのサッシ枠内にスライドして開閉自在に嵌合された障子とサッシ枠との隙間を塞ぐ住宅用サッシのシール材に関するものである。
【背景技術】
【０００２】
図９に示すように、通常の住宅用サッシは、上枠１１，下枠１２，縦枠１３，１４からなる矩形状のサッシ枠１０内に、２枚の障子２１（室内側に位置する障子），２２（室外側に位置する障子）が引き違いに嵌合されている。これにより、２枚の障子２１，２２はスライドして開閉自在で、閉鎖時には両障子２１，２２の召合せ框２１Ａ，２２Ａ間に設けられたロック部材１００を施錠することによって両障子２１，２２は互いに引き寄せられる。
【０００３】
このような障子２１，２２とサッシ枠１０との間には、施錠時及び無施錠時に両障子２１，２２を閉鎖したときに両者間の隙間を塞いで室外側から室内側に進入する音を効果的に低減するための各種シール材が設けられている。
障子２１，２２の上框２１Ｂ，２２Ｂには、例えば、図１０に示すような、シール材３１，３２が室外側と室内側にそれぞれ設けられている。なお、図１０は図９のＡ−Ａ線拡大断面を示している。シール材３１，３２は、上框２１Ｂ，２２Ｂに沿って左右（図９において左右）に連続して延びている。
室外側のシール部３１は、上框２１Ｂ，２２Ｂに形成された凹溝２１ＢＭ，２２ＢＭ内の室外側上部に設けられた嵌合部２１ＢＫ，２２ＢＫに嵌め込まれる取付部３１ａと、その取付部３１ａに一体成形されたリップ状のシール部３１ｂからなり、シール部３１ｂの先端部がサッシ枠１０の上枠１１に突設されたフランジＦ１，Ｆ２の室外側側面に接触している。また、室内側のシール部３２は、全体がリップ状であり、上框２１Ｂ，２２Ｂに形成された凹溝２１ＢＭ，２２ＢＭ内の室内側上部にその付け根部が接着され、先端部がサッシ枠１０の上枠１１に突設されたフランジＦ１，Ｆ２の室内側側面に接触している。
【０００４】
障子とサッシ枠間の隙間をシール材で塞いで遮音性を高めたサッシ構造は種々知られている（例えば、特許文献１，２等）。
【先行技術文献】
【特許文献】
【０００５】
【特許文献１】特開２０００−１９９３８６号公報
【特許文献２】実開昭６２−１６９１８４号公報
【発明の概要】
【発明が解決しようとする課題】
【０００６】
しかしながら、従来例として示した住宅用サッシには形状の異なる２種類のシール材３１，３２が使用されているので部品点数が多く、組み付けに工数がかかるとともにコスト高になるといった問題がある。
また、フランジＦ１，Ｆ２に弾接するシール材３１，３２のリップ部は肉厚が薄いので反力が弱くなりがちで障子２１，２２の安定性が懸念されるとともに、フランジＦ１，Ｆ２に対する弾接量が少ないと障子２１，２２のバラツキなどに対応することができず遮音効果が低下するといった恐れもある。
【０００７】
また、特許文献１に記載のシール材は、障子２１，２２の下框２１Ｄ，２２Ｄに相当する部位に取付けられ、防音機能と防水機能に優れるものであるので、障子２１，２２の上框２１Ｂ，２２Ｂからは音が進入してしまう。
さらに、特許文献２に記載のシール材は、障子２１，２２の上框２１Ｂ，２２Ｂに相当する部位にも取付けられるものであるが、その形状は中空状の振動吸収体で内部に空気を送り込むようになっているので構造が複雑でコスト高になるといった問題がある。
【０００８】
そこで、本発明の目的とするところは、部品点数が少なくて組み付けが容易でコストの削減が図れ、しかも遮音性に優れる住宅用サッシのシール材を提供することにある。
【課題を解決するための手段】
【０００９】
上記の目的を達成するために、請求項１に係る発明は、サッシ枠（１０）内にスライドして開閉自在で引き違いに嵌合された少なくとも２枚の障子（２１，２２）と、前記サッシ枠（１０）との隙間を塞ぐシール材（５０）であって、
前記サッシ枠（１０）の上枠（１１）に沿って取付けられる取付基部（５１）と、前記取付基部（５１）から吊設され、前記２枚の障子（２１，２２）の上框（２１Ｂ，２２Ｂ）に形成された凹溝（２１ＢＭ，２２ＢＭ）に案内される室外側支柱部（５３）及び室内側支柱部（５２）と、
前記室外側支柱部（５３）及び室内側支柱部（５２）の下方から室外側及び室内側に延設され、前記凹溝（２１ＢＭ，２２ＢＭ）の室外側内壁（２１ＢＸ，２２ＢＸ）及び室内側内壁（２１ＢＹ，２２ＢＹ）に弾接する室外側リップ部（５４）及び室内側リップ部（５５）と、を備えるとともに、
前記障子（２１，２２）の上面に弾接して下方に押圧する上側シール部（６０）をさらに備え、その上側シール部（６０）を室外側支柱部（５３）と前記室内側支柱部（５２）間に架設し、前記取付基部（５１）との間に中空部（６１）を形成し、
前記上側シール部（６０）は、上下に波打つ湾曲形状であり、下方に突出した部位（６０ａ）が前記障子（２１，２２）の上面に弾接することを特徴とする。
【００１０】
また、請求項２に記載の発明は、サッシ枠（１０）内にスライドして開閉自在で引き違いに嵌合された少なくとも２枚の障子（２１，２２）と、前記サッシ枠（１０）との隙間を塞ぐシール材（５０）であって、
前記サッシ枠（１０）の上枠（１１）に沿って取付けられる取付基部（５１）と、前記取付基部（５１）から吊設され、前記２枚の障子（２１，２２）の上框（２１Ｂ，２２Ｂ）に形成された凹溝（２１ＢＭ，２２ＢＭ）に案内される室外側支柱部（５３）及び室内側支柱部（５２）と、
前記室外側支柱部（５３）及び室内側支柱部（５２）の下方から室外側及び室内側に延設され、前記凹溝（２１ＢＭ，２２ＢＭ）の室外側内壁（２１ＢＸ，２２ＢＸ）及び室内側内壁（２１ＢＹ，２２ＢＹ）に弾接する室外側リップ部（５４）及び室内側リップ部（５５）と、を備えることを特徴とする。
【００１１】
さらに、請求項３に記載の発明は、前記障子（２１，２２）の上面に弾接して下方に押圧する上側シール部（５６，５７）をさらに備えることを特徴とする。
【００１２】
また、請求項４に記載の発明は、前記障子（２１，２２）の上面に弾接して下方に押圧する上側シール部（６０）をさらに備え、その上側シール部（６０）を室外側支柱部（５３）と前記室内側支柱部（５２）間に架設し、前記取付基部（５１）との間に中空部（６１）を形成したことを特徴とする。
【００１３】
また、請求項５に記載の発明は、前記上側シール部（６０）は、上下に波打つ湾曲形状であり、下方に突出した部位（６０ａ）が前記障子（２１，２２）の上面に弾接することを特徴とする。
【００１４】
なお、括弧内の記号は、図面および後述する発明を実施するための形態に記載された対応要素または対応事項を示す。
【発明の効果】
【００１５】
請求項１に係る発明によれば、障子は少なくとも室外側と室内側に２枚以上あり、シール材は、室外側支柱部と室内側支柱部を備え、一方の室外側支柱部は室外側の障子の上框に形成された凹溝に案内され、他方の室内側支柱部は室内側の障子の上框に形成された凹溝に案内され、それぞれから延設された室外側リップ部及び室内側リップ部を障子の上框の凹溝に弾接させるので、シール材を障子の数に対応した数だけ設ける必要はなく一部品だけでよい。
これにより、さらに組み付け工数の削減とコストの削減が図れる。
また、隣接する障子間に渡ってシール材が設けられるので障子間から水が進入するおそれはなく、音の進入並びに熱の出入りも抑制される。
【００１９】
また、障子の上面に弾接してその障子を下方に押圧する上側シール部をさらに設けるとともに、その上側シール部を室外側支柱部と前記室内側支柱部間に架設し、取付基部との間に中空部を形成したので、上側シール部が上下方向に大きく撓み易く、シール性が良く、障子の上下方向の振動やバラツキを大きく吸収することができる。
また、隣接する障子間の上部が上側シール部で完全に覆われるので、虫や埃が内部に入り難い。
このような作用効果は、上側シール部を、上下に波打つ湾曲形状として下方に突出した部位を障子の上面に弾接させるといった簡易な構造で得られ、外観上見栄えも良い。
【図面の簡単な説明】
【００２０】
【図１】本発明の実施形態に係る住宅用サッシのシール材を示す斜視図である。
【図２】本発明の実施形態に係る住宅用サッシのシール材を示す、図９のＡ−Ａ線拡大断面図である。
【図３】本発明の実施形態に係る別の住宅用サッシのシール材を示す斜視図である。
【図４】本発明の実施形態に係る別の住宅用サッシのシール材を示す、図９のＡ−Ａ線拡大断面図である。
【図５】本発明の実施形態に係る住宅用サッシのシール材が別の断面形状をした障子に取付けられた状態を示す、図９のＡ−Ａ線拡大断面図である。
【図６】本発明の実施形態に係る住宅用サッシのシール材がさらに別の断面形状をした障子に取付けられた状態を示す、図９のＡ−Ａ線拡大断面図である。
【図７】本発明の実施形態に係る住宅用サッシのシール材がさらに別の断面形状をした障子に取付けられた状態を示す、図９のＡ−Ａ線拡大断面図である。
【図８】本発明の実施形態に係る住宅用サッシのシール材がさらに別の断面形状をした障子に取付けられた状態を示す、図９のＡ−Ａ線拡大断面図である。
【図９】住宅用サッシの室内側から見た外観側面図である。
【図１０】従来例に係る住宅用サッシのシール材を示す、図９のＡ−Ａ線拡大断面図である。
【発明を実施するための形態】
【００２１】
図１，図２及び図９を参照して、本発明の実施形態に係る住宅用サッシのシール材について説明する。図１は、本発明の実施形態に係る住宅用サッシのシール材５０を示す斜視図であり、図２は、本発明の実施形態に係る住宅用サッシのシール材５０を示す、図９のＡ−Ａ線拡大断面を示している。従来例で示したものと同一部分には同一符号を付した。
【００２２】
本発明の実施形態に係る住宅用サッシのシール材５０は、図９に示したものと同様のサッシ枠１０とそれに嵌め込まれた障子２１，２２間に設けられたものであるが、図１０で示した従来例のように障子２１，２２側に取付けられたものとは異なり、サッシ枠１０側に取付けられたものである。
そして、サッシ枠１０内にスライドして開閉自在で引き違いに嵌合された２枚の室内側障子２１，室外側障子２２と、サッシ枠１０との隙間を塞ぐものであり、主に、取付基部５１とその取付基部５１に一体成形され取付基部５１から吊設された室内側支柱部５２及び室外側支柱部５３と、室内側支柱部５２及び室外側支柱部５３から延設された室外側リップ部５４及び室内側リップ部５５を備えている。
【００２３】
シール材５０の取付基部５１は、サッシ枠１０の上枠１１の延びる左右方向（図９の左右方向）に沿って取付けられている。取付基部５１は、板状でありその上面が、上枠１１の下面に取付けられるとともに、取付基部５１の室外側の端部は、上枠１１から下方に延びるフランジＦ２の付け根部と上枠１１とのコーナー部に突き当てられている。
【００２４】
また、シール材５０の取付基部５１から下方に延びる室内側支柱部５２と室外側支柱部５３は、取付基部５１に対して略垂直に設けられた板状であり、室内外に所定間隔をおいて配置されている。
室外側支柱部５３の付け根部は、取付基部５１の室外側の端部から吊設され、室外側支柱部５３の室外側はフランジＦ２の室内側の側面に固定されている。また室内側支柱部５３の下方は、室内側の障子２２の上框２２Ｂに形成された断面略矩形状の凹溝２２ＢＭの略中央部に案内されている。なお、フランジＦ２は凹溝２２ＢＭの略中央部に案内される程度の長さを有していて片面で室外側支柱部５３を支持しているが、凹溝２２ＢＭ内に案内されないように短い長さであってもよく、室外側支柱部５３が安定して取付基部５１に固定されるものであれば省略することもできる。、
これに対して室内側支柱部５２の下方は、フランジＦ２のような突出部材に特に支持されることなく、室内側の障子２１の上框２１Ｂに形成された断面略矩形状の凹溝２１ＢＭの略中央部に案内されている。
【００２５】
また、シール材５０の室外側リップ部５４は、室内側支柱部５２及び室外側支柱部５３の下端からそれぞれ室外側（図２の左側）に向けて延びる断面略舌状のシールリップである。室内側支柱部５２から延設された室外側リップ部５４は、先端部が上方に向って湾曲しその下面が、障子２１の上框２１Ｂに形成された断面略矩形状の凹溝２１ＢＭの室外側内壁２１ＢＸに弾接し、室外側支柱部５３から延設された室外側リップ部５４も同様に、先端部が上方に向って湾曲しその下面が、障子２２の上框２２Ｂに形成された断面略矩形状の凹溝２２ＢＭの室外側内壁２２ＢＸに弾接している。
一方、シール材５０の室内側リップ部５５は、室内側支柱部５２及び室外側支柱部５３の下端からそれぞれ室内側（図２の右側）に向けて延びる断面略舌状のシールリップである。室内側支柱部５２から延設された室内側リップ部５５は、先端部が上方に向って湾曲しその下面が、障子２１の上框２１Ｂに形成された断面略矩形状の凹溝２１ＢＭの室内側内壁２１ＢＹに弾接し、室外側支柱部５３から延設された室内側リップ部５５も同様に、先端部が上方に向って湾曲しその下面が、障子２２の上框２２Ｂに形成された断面略矩形状の凹溝２２ＢＭの室内側内壁２２ＢＹに弾接している。
【００２６】
また、シール材５０の室内側支柱部５２の上下方向の略中央部より取付基部５１側寄りには、室外側に向けて上側シール部５６が一体成形されている。この上側シール部５６は、断面略舌状のシールリップであり、その下面が障子２１の室外側上面に弾接し、障子２１を下方に向けて押圧するように力を加えている。
一方、シール材５０の室外側支柱部５３の上下方向の略中央部より取付基部５１側寄りには、室内側に向けて上側シール部５７が一体成形されている。この上側シール部５７は、断面略舌状のシールリップであり、その下面が障子２２の室内側上面に弾接し、障子２２を下方に向けて押圧するように力を加えている。
なお、ここでは、上側シール部５６，５７を室内側支柱部５２，室外側支柱部５３から延設したが、取付基部５１から延設させることもできる。
【００２７】
なお、本実施形態では、取付基部５１において、室内側支柱部５２が吊設された取付基部５１の位置よりも室内側にさらに第３支柱部５８を吊設し、その第３支柱部５８から室外側に向けて第３上側シール部５９を一体成形している。この第３上側シール部５９は、断面略舌状のシールリップであり、その下面が障子２１の室内側上面に弾接し、障子２１を下方に向けて押圧するように力を加えている。第３上側シール部５９は、上側シール部５６と同一形状であり、上側シール部５７とは方向が室内外で逆になっている。
この第３上側シール部５９にかえて、障子２１の室内側上面に弾接する上側シール部を室内側支柱部５２から、上側シール部５６と対象的に設ける構成にすることもでき、また障子２２の室外側上面に弾接する上側シール部を室内側支柱部５３から、上側シール部５７と対象的に設ける構成にすることもできる。
【００２８】
また、ここでは障子２１，２２の上框２１Ｂ，２２Ｂに形成された凹溝２１ＢＭ，２２ＢＭ内の構成は、従来例で示した図１０と同様に、室外側上部に嵌合部２１ＢＫ，２２ＢＫが設けられたものを使用したが、様々な構成のものに適用させることもできる。
例えば、図５に示すように、凹溝２１ＢＭ，２２ＢＭに凹凸部を一切設けないようにして、下方に室外側リップ部５４及び室内側リップ部５５が設けられた室内側支柱部５２と室外側支柱部５３を挿入し易くすることができる。図２（図１０）では、凹溝２１ＢＭ，２２ＢＭの形成により障子２１の室外側側壁及び障子２２の室外側側壁と室内側側壁を同じ厚さ同じ形状にし障子２１の室内側側壁の厚さをやや広くしたが、図５では、障子２１の室外側側壁及び室内側側壁と、障子２２の室外側側壁と室内側側壁を同じ厚さ同じ形状にしている。
【００２９】
また、図６に示すように、凹溝２１ＢＭ，２２ＢＭの上部に内方に向かって、すなわち、障子２１，２２の室外側側壁から室内側に向かって、障子２１，２２の室内側側壁から室外側に向かってそれぞれ延びる突起２１ＢＴ１，２２ＢＴ１を設けて、上側シール部５６，５７や第３上側シール部５９との接触面積を大きくするようにしてもよい。
また、図７に示すように、障子２１，２２の室内側側壁から室外側に向かってそれぞれ延びる突起２１ＢＴ２，２２ＢＴ２を、凹溝２１ＢＭ，２２ＢＭの中に設けて、水の侵入を防止するようにしてもよい。
さらには、図８に示すように、図６で示した突起２１ＢＴ１，２２ＢＴ１と、図７で示した突起２１ＢＴ２，２２ＢＴ２を併用してもよい。なお、突起２１ＢＴ１，２２ＢＴ１及び突起２１ＢＴ２，２２ＢＴ２の厚みも様々のものとすることができる。
【００３０】
なお、シール材５０の材質は、特に限定されるわけではないが、ゴム様弾性体であってＥＰＤＭゴムなどのソリッドゴム材や熱可塑性エラストマーのソリッド樹脂材からなり、障子２１，２２に嵌合したときの安定性を図るとともに、障子２１，２２の開閉性を良好なものにしている。
また、シール材５０の軽量化のためにソリッド材ではなく、微発泡によるスポンジ材や発泡の気泡が明らかに見えるスポンジ材としたり、部分的にスポンジ材が構成してもよい。例えば、シール機能を果たす室外側リップ部５４，室内側リップ部５５，上側シール部５６，５７及び第３上側シール部５９といった部位を軟質の、オレフィン系エラストマー（ＴＰＯ），スチレン系エラストマー（ＴＰＳ），塩ビ（ＰＶＣ），ＥＰＤＭスポンジ（比重０．４〜０．８）といった材料で形成し、その他の部位を、硬質の、ポリプロピレン（ＰＰ），オレフィン系エラストマー（ＴＰＯ），スチレン系エラストマー（ＴＰＳ），塩ビ（ＰＶＣ），ＥＰＤＭソリッド（比重０．８〜１．２）といった材料で形成することなどが考えられる。
【００３１】
さらに、室外側リップ部５４及び室内側リップ部５５の弾接部位や、上側シール部５６，５７及び第３上側シール部５９の弾接部位に、水性シリコーンなどの摺動材を塗布したり、摺動材を貼着したり共押出しして障子２１，２２の開閉性をさらに良好にすることもできる。
【００３２】
以上のように構成された本実施形態に係る住宅用サッシのシール材５０は、障子２１，２２がスライドして開閉自在に嵌合されたサッシ枠１０の上枠１１に沿って取付けられる取付基部５１と、その取付基部５１から吊設され、障子２１，２２の上框２１Ｂ，２２Ｂに形成された凹溝２１ＢＭ，２２ＢＭに案内される室内側支柱部５２及び室外側支柱部５３と、両支柱部５２，５３の下方から室外側及び室内側に延設され、凹溝２１ＢＭ，２２ＢＭの室外側内壁２１ＢＸ，２２ＢＸ及び室内側内壁２１ＢＹ，２２ＢＹに弾接する室外側リップ部５４及び室内側リップ部５５とからなる一部品であるので、従来のものと比較して部品点数が抑えられる。
これにより、サッシ枠１０の上枠１１に対するシール材５０の組み付けが容易になるとともにコストの削減を図れる。
【００３３】
また、シール材５０は、両支柱部５２，５３の下方から室外側及び室内側に延設された室外側リップ部５４及び室内側リップ部５５を障子２１，２２の上框２１Ｂ，２２Ｂに形成された凹溝２１ＢＭ，２２ＢＭの室外側内壁２１ＢＸ，２２ＢＸ及び室内側内壁２１ＢＹ，２２ＢＹに弾接するものであるので、障子２１，２２は安定化するとともに、面接触により十分な弾接量を確保できるので障子２１，２２の形状バラツキや障子２１，２２とシール材５０間の位置バラツキなどにも対応することができ、安定した遮音効果並びに断熱効果が得られる。
さらに、このシール材５０は、シール機能に加えて、障子２１，２２をスライドして開閉自在に嵌合する枠材としての機能も有するので、サッシ枠１０の上枠１１からアルミニウムなど金属製のフランジを突設させないようにしたり、突設させてもシール材５０の支持用に設けるだけでよく最小の数にすることができるので部品点数はさらに削減し、組み付け工数の削減及びコストの削減となる。
【００３４】
また、障子２１，２２の上面には、上側シール部５６，５７や第３上側シール部５９が弾接して障子２１，２２を下方に押圧するので、障子２１，２２の上下方向の動きが規制され、障子２１，２２が一層安定化するとともに遮音性並びに断熱効果も向上する。
【００３５】
なお、本発明の実施形態では、上側シール部５６，５７を２つ設けてそれぞれの障子２１，２２の上面をシールするようにしたが、図３及び図４に示すように、上側シール部６０を室内側支柱部５２と室外側支柱部５３間に架設し、取付基部５１との間に中空部６１が形成されるようにしてもよい。上側シール部６０は、上下に波打つ湾曲形状であり、下方に突出した部位６０ａと上方に突出した部位６０ｂがあり、下方に突出した２つの部位６０ａを障子２１の室外側上面と障子２２の室内側上面に弾接させている。また、同様に第３上側シール部６２を室内側支柱部５２と第３支柱部５８間に架設し、取付基部５１との間に中空部６３が形成されるようにしてもよい。第３上側シール部６２も、上下に波打つ湾曲形状であり、下方に突出した部位６２ａと上方に突出した部位６２ｂがあり、下方に突出した部位６２ａを障子２１の室内側上面に弾接させている。
【００３６】
これによれば、取付基部５１との間に中空部６１，中空部６２が形成されるので上側シール部６０及び第３上側シール部６２は上下方向に大きく撓み易く、シール性が良い。そして、障子２１，２２の上下方向の振動やバラツキを大きく吸収することができる。
また、隣接する障子２１，２２間の上部は上側シール部６０で完全に覆われるので、虫や埃が内部に入り難く、外観上見栄えも良い。また、上側シール部６０及び第３上側シール部６２の形状は波形状であるので構造が簡単で製造も容易である。
【００３７】
また、本発明の実施形態では、シール材５０をサッシ枠１０の上枠１１の左端から右端まで連続的に延びるように設けたが、障子２１，２２の閉め切り状態、つまり、ロック部材１００にて施錠される状態にて、障子２１，２２の各々のサッシ枠１０における配置位置に対応する箇所のみに設けてもよい。また、障子２１，２２の上下動を抑制する上側シール部５６，５７及び第３上側シール部５９や、上側シール部６０及び第３上側シール部６２については、断続的に設けたり、例えば、召合せ框２１Ａ，２２Ａの上面だけに設けるようにしても効果はある。
また、シール材５０は、一つの取付基部５１に対して、障子２１の上框２１Ｂに形成された凹溝２１ＢＭに案内される室内側支柱部５２と、障子２２の上框２２Ｂに形成された凹溝２２ＢＭに案内される室外側支柱部５３とを一体成形して全体として一部品にしたが、障子２１側の室内側支柱部５２と、障子２２側の室外側支柱部５３とを別体にしてそれぞれ取付基部を介してサッシ枠１０の上枠１１に取付けるようにしてもよい。
【符号の説明】
【００３８】
１０      サッシ枠
１１      上枠
１２      下枠
１３，１４        縦枠
２１，２２        障子
２１Ａ，２２Ａ    召合せ框
２１Ｂ，２２Ｂ    上框
２１ＢＫ，２２ＢＫ  嵌合部
２１ＢＭ，２２ＢＭ  凹溝
２１ＢＴ１，２２ＢＴ１  突起
２１ＢＴ２，２２ＢＴ２  突起
２１ＢＸ，２２ＢＸ    室外側内壁
２１ＢＹ，２２ＢＹ    室内側内壁
２１Ｃ，２２Ｃ    戸先框
２１Ｄ，２２Ｄ    下框
３１      シール材
３１ａ    取付部
３１ｂ    シール部
３２      シール材
５０      シール材
５１      取付基部
５２      室内側支柱部
５３      室外側支柱部
５４      室外側リップ部
５５      室内側リップ部
５６，５７        上側シール部
５８      第３支柱部
５９      第３上側シール部
６０      上側シール部
６０ａ    下方に突出した部位
６０ｂ    上方に突出した部位
６１      中空部
６２      第３上側シール部
６２ａ    下方に突出した部位
６２ｂ    上方に突出した部位
６３      中空部
１００      ロック部材
Ｆ１，Ｆ２      フランジ
【図１】
0005635842.tif 000002
【図２】
0005635842.tif 000003
【図３】
0005635842.tif 000004
【図４】
0005635842.tif 000005
【図５】
0005635842.tif 000006
【図６】
0005635842.tif 000007
【図７】
0005635842.tif 000008
【図８】
0005635842.tif 000009
【図９】
0005635842.tif 000010
【図１０】
0005635842.tif 000011